(57)【要約】【課題】簡単かつ確実に、読み取った画像データを記録媒体に書き込むことができる記録制御プログラム及び記録制御方法の提供。【解決手段】コンピュータを、メディアの装填及び記録媒体の装填を監視する監視手段１０、メディア及び記録媒体が装填されたら、装填されたメディアから画像データを読み取る読み取り手段１１、残置されたメディアや記録媒体がある場合に、処理を続行するか否かの指示を入力する画面や残置されたメディアや記録媒体の取り外しを促す画面を表示手段に表示させる表示制御手段１２、装填された記録媒体に読み取った画像データ及び該画像データに基づいて生成されたデータの少なくとも一方を書き込む書き込み手段１４、として機能させる。これによりユーザが行う操作を必要最小限に留め、誤操作を未然に防止して、画像データを記録媒体に書き込む処理を簡単かつ確実に実行可能にする。【選択図】図７
2007133993.tif 000002
【特許請求の範囲】
【請求項１】
コンピュータを、
第１の装填手段にデジタルカメラ用のメディアが装填されたか、及び、第２の装填手段に記録媒体が装填されたかを監視する監視手段、
前記第１の装填手段にメディアが装填され、かつ、前記第２の装填手段にデータの書き込みが可能な記録媒体が装填された場合に、装填された前記メディアから画像データを読み取る読み取り手段、
装填された前記記録媒体に、少なくとも前記画像データを書き込む書き込み手段、として機能させることを特徴とする記録制御プログラム。
【請求項２】
コンピュータを、
第１の装填手段にデジタルカメラ用のメディアが装填されたか、及び、第２の装填手段に記録媒体が装填されたかを監視する監視手段、
前記第１の装填手段にメディアが装填された後に、前記第２の装填手段にデータの書き込みが可能な記録媒体が装填された場合に、装填された前記メディアから画像データを読み取る読み取り手段、
装填された前記記録媒体に、少なくとも前記画像データを書き込む書き込み手段、として機能させることを特徴とする記録制御プログラム。
【請求項３】
コンピュータを、
第１の装填手段にデジタルカメラ用のメディアが装填されたか、及び、第２の装填手段に記録媒体が装填されたかを監視する監視手段、
前記第２の装填手段にデータの書き込みが可能な記録媒体が装填された後に、前記第１の装填手段にメディアが装填された場合に、装填された前記メディアから画像データを読み取る読み取り手段、
装填された前記記録媒体に、少なくとも前記画像データを書き込む書き込み手段、として機能させることを特徴とする記録制御プログラム。
【請求項４】
コンピュータを、更に、
前記第１の装填手段に以前に装填された他のメディアが残置されている場合、又は、前記第２の装填手段に以前に装填された他の記録媒体が残置されている場合に、前記他のメディア又は前記他の記録媒体を利用して処理を続行するか否かの指示を入力させるための画面、又は、前記他のメディア又は前記他の記録媒体の取り外しを促す画面を表示手段に表示させる表示制御手段、として機能させることを特徴とする請求項１乃至３のいずれか一に記載の記録制御プログラム。
【請求項５】
コンピュータを、更に、
前記第１の装填手段に前記メディアが装填されてから前記第２の装填手段に前記記録媒体が装填されるまでの期間、又は、前記第２の装填手段に前記記録媒体が装填されてから前記第１の装填手段に前記メディアが装填されるまでの期間が、予め定めた時間を超えた場合に、処理を続行するか否かの指示を入力させるための画面を表示手段に表示させる表示制御手段、として機能させることを特徴とする請求項２又は３に記載の記録制御プログラム。
【請求項６】
第１の装填手段にデジタルカメラ用のメディアが装填されたかを監視する第１のステップと、
前記第１の装填手段にメディアが装填された後に、第２の装填手段に記録媒体が装填されたかを監視する第２のステップと、
前記第２の装填手段にデータの書き込みが可能な記録媒体が装填された後に、装填された前記メディアから画像データを読み取る第３のステップと、
装填された前記記録媒体に、少なくとも前記画像データを書き込む第４のステップと、を少なくとも有することを特徴とする記録制御方法。
【請求項７】
前記第２のステップでは、
前記第１の装填手段にメディアが装填された後に、前記第２の装填手段に以前に装填された他の記録媒体が残置されているかを判定し、前記他の記録媒体が残置されている場合に、前記他の記録媒体を利用して処理を続行するか否かの指示を入力させるための画面、又は、前記他の記録媒体の取り外しを促す画面を表示手段に表示することを特徴とする請求項６記載の記録制御方法。
【請求項８】
前記第２のステップでは、
前記第１の装填手段に前記メディアが装填されてから前記第２の装填手段に前記記録媒体が装填されるまでの期間が、予め定めた時間を超えた場合に、処理を続行するか否かの指示を入力させるための画面を表示手段に表示することを特徴とする請求項６又は７に記載の記録制御方法。
【請求項９】
第２の装填手段に記録媒体が装填されたかを監視する第１のステップと、
前記第２の装填手段にデータの書き込みが可能な記録媒体が装填された後に、第１の装填手段にデジタルカメラ用のメディアが装填されたかを監視する第２のステップと、
前記第１の装填手段にメディアが装填された後に、装填された前記メディアから画像データを読み取る第３のステップと、
装填された前記記録媒体に、少なくとも前記画像データを書き込む第４のステップと、を少なくとも有することを特徴とする記録制御方法。
【請求項１０】
前記第２のステップでは、
前記第２の装填手段にデータの書き込みが可能な記録媒体が装填された後に、前記第１の装填手段に以前に装填された他のメディアが残置されているかを判定し、前記他のメディアが残置されている場合に、前記他のメディアを利用して処理を続行するか否かの指示を入力させるための画面、又は、前記他のメディアの取り外しを促す画面を表示手段に表示することを特徴とする請求項９記載の記録制御方法。
【請求項１１】
前記第２のステップでは、
前記第２の装填手段に前記記録媒体が装填されてから前記第１の装填手段に前記メディアが装填されるまでの期間が、予め定めた時間を超えた場合に、処理を続行するか否かの指示を入力させるための画面を表示手段に表示することを特徴とする請求項９又は１０に記載の記録制御方法。
【発明の詳細な説明】
【技術分野】
【０００１】
本発明は、メディアなどから読み取った画像データを記録媒体に書き込む処理を行う記録制御プログラム及び記録制御方法に関する。
【背景技術】
【０００２】
近年、写真画像に関する様々なサービスが提供されている。例えば、写真を撮影したデジタルカメラやデジタルカメラ用メディアをミニラボ等の写真店に持ち込み、店舗内に設けられた無人端末（キオスク）や店頭端末などを操作することによって、デジタルカメラやメディアに記録された画像データをＣＤ−Ｒ、ＤＶＤ−Ｒなどの記録媒体に書き込むことができる（上記無人端末に関しては、例えば、下記特許文献１参照）。
【０００３】
また、デジタルカメラやメディアから読み取った画像データを単に記録媒体に記録するのではなく、画像データと共に、これらの画像データを音楽付きスライドショーとして再生するための音楽データやスライドショープログラムをＣＤ−ＲやＤＶＤ−Ｒなどの記録媒体に書き込むサービスや、これらの画像データをＤＶＤプレーヤやＤＶＤレコーダ、ＨＤＤレコーダ、ゲーム機などの家電機器で音楽付きスライドショーとして再生するためのデータ（以下、家電機器用データと呼ぶ。）を作成してＣＤ−ＲやＤＶＤ−Ｒなどの記録媒体に書き込むサービスも行われている。
【０００４】
また、画像データを記録媒体に書き込むためのアプリケーションを提供するサービスもあり、該アプリケーションを自宅のパーソナルコンピュータなどのコンピュータ機器にインストールすることにより、写真店などに出向かなくても自宅でデジタルカメラやメディアから読み取った画像データを記録媒体に書き込んだり、読み取った画像データに基づいて家電機器用データを生成して記録媒体に書き込むこともできる。
【０００５】
【特許文献１】特開平１１−８８１７号公報（第３−４頁、第１図）
【発明の開示】
【発明が解決しようとする課題】
【０００６】
ここで、画像データを記録媒体に書き込む場合に、多数の画像データの中から所望の画像データを選択したり、画像を回転させるなどの処理を行った後に、該画像データを記録媒体に書き込む場合もあれば、撮影した全ての画像データを記録媒体に書き込む場合もあるが、従来の記録装置は、前者のような複雑な処理ができるように、各種操作画面を表示し、該操作画面でユーザが操作を行うように構成されていた。
【０００７】
そのため、後者のような簡単な処理であっても多数の画面で操作を行わなければならず、処理に時間がかかったり、誤った操作をしてしまうという問題が生じる。特に、機械操作に不慣れなユーザが記録装置を操作する場合には、上記問題が顕著に現れる。
【０００８】
また、自動的にメディアから画像データを読み取って記録媒体に書き込みように制御することは可能であるが、メディアを装填するスロットに以前のメディアが残置されている場合や記録媒体を装填するトレーに以前の記録媒体が残置されている場合に、意図しないメディアから画像データを読み取ってしまったり、意図しない記録媒体に画像データが書き込まれてしまうという問題も生じる。
【０００９】
本発明は、上記問題点に鑑みてなされたものであって、その主たる目的は、簡単かつ確実に、メディアなどから読み取った画像データを記録媒体に書き込むことができる記録制御プログラム及び記録制御方法を提供することにある。
【課題を解決するための手段】
【００１０】
上記目的を達成するため、本発明の記録制御プログラムは、コンピュータを、第１の装填手段にデジタルカメラ用のメディアが装填されたか、及び、第２の装填手段に記録媒体が装填されたかを監視する監視手段、前記第１の装填手段にメディアが装填され、かつ、前記第２の装填手段にデータの書き込みが可能な記録媒体が装填された場合に、装填された前記メディアから画像データを読み取る読み取り手段、装填された前記記録媒体に、少なくとも前記画像データを書き込む書き込み手段、として機能させるものである。
【００１１】
また、本発明の記録制御プログラムは、コンピュータを、第１の装填手段にデジタルカメラ用のメディアが装填されたか、及び、第２の装填手段に記録媒体が装填されたかを監視する監視手段、前記第１の装填手段にメディアが装填された後に、前記第２の装填手段にデータの書き込みが可能な記録媒体が装填された場合に、装填された前記メディアから画像データを読み取る読み取り手段、装填された前記記録媒体に、少なくとも前記画像データを書き込む書き込み手段、として機能させるものである。
【００１２】
また、本発明の記録制御プログラムは、コンピュータを、第１の装填手段にデジタルカメラ用のメディアが装填されたか、及び、第２の装填手段に記録媒体が装填されたかを監視する監視手段、前記第２の装填手段にデータの書き込みが可能な記録媒体が装填された後に、前記第１の装填手段にメディアが装填された場合に、装填された前記メディアから画像データを読み取る読み取り手段、装填された前記記録媒体に、少なくとも前記画像データを書き込む書き込み手段、として機能させるものである。
【００１３】
本発明においては、コンピュータを、更に、前記第１の装填手段に以前に装填された他のメディアが残置されている場合、又は、前記第２の装填手段に以前に装填された他の記録媒体が残置されている場合に、前記他のメディア又は前記他の記録媒体を利用して処理を続行するか否かの指示を入力させるための画面、又は、前記他のメディア又は前記他の記録媒体の取り外しを促す画面を表示手段に表示させる表示制御手段、として機能させる構成とすることができる。
【００１４】
また、本発明においては、コンピュータを、更に、前記第１の装填手段に前記メディアが装填されてから前記第２の装填手段に前記記録媒体が装填されるまでの期間、又は、前記第２の装填手段に前記記録媒体が装填されてから前記第１の装填手段に前記メディアが装填されるまでの期間が、予め定めた時間を超えた場合に、処理を続行するか否かの指示を入力させるための画面を表示手段に表示させる表示制御手段、として機能させる構成とすることもできる。
【００１５】
また、本発明の記録制御方法は、第１の装填手段にデジタルカメラ用のメディアが装填されたかを監視する第１のステップと、前記第１の装填手段にメディアが装填された後に、第２の装填手段に記録媒体が装填されたかを監視する第２のステップと、前記第２の装填手段にデータの書き込みが可能な記録媒体が装填された後に、装填された前記メディアから画像データを読み取る第３のステップと、装填された前記記録媒体に、少なくとも前記画像データを書き込む第４のステップと、を少なくとも有するものである。
【００１６】
本発明においては、前記第２のステップでは、前記第１の装填手段にメディアが装填された後に、前記第２の装填手段に以前に装填された他の記録媒体が残置されているかを判定し、前記他の記録媒体が残置されている場合に、前記他の記録媒体を利用して処理を続行するか否かの指示を入力させるための画面、又は、前記他の記録媒体の取り外しを促す画面を表示手段に表示する構成とすることができ、また、前記第２のステップでは、前記第１の装填手段に前記メディアが装填されてから前記第２の装填手段に前記記録媒体が装填されるまでの期間が、予め定めた時間を超えた場合に、処理を続行するか否かの指示を入力させるための画面を表示手段に表示する構成とすることもできる。
【００１７】
また、本発明の記録制御方法は、第２の装填手段に記録媒体が装填されたかを監視する第１のステップと、前記第２の装填手段にデータの書き込みが可能な記録媒体が装填された後に、第１の装填手段にデジタルカメラ用のメディアが装填されたかを監視する第２のステップと、前記第１の装填手段にメディアが装填された後に、装填された前記メディアから画像データを読み取る第３のステップと、装填された前記記録媒体に、少なくとも前記画像データを書き込む第４のステップと、を少なくとも有するものである。
【００１８】
本発明においては、前記第２のステップでは、前記第２の装填手段にデータの書き込みが可能な記録媒体が装填された後に、前記第１の装填手段に以前に装填された他のメディアが残置されているかを判定し、前記他のメディアが残置されている場合に、前記他のメディアを利用して処理を続行するか否かの指示を入力させるための画面、又は、前記他のメディアの取り外しを促す画面を表示手段に表示する構成とすることができ、また、前記第２のステップでは、前記第２の装填手段に前記記録媒体が装填されてから前記第１の装填手段に前記メディアが装填されるまでの期間が、予め定めた時間を超えた場合に、処理を続行するか否かの指示を入力させるための画面を表示手段に表示する構成とすることもできる。
【００１９】
このように、本発明によれば、デジタルカメラ用のメディアとデータの記録が可能な記録媒体とが装填されると、自動的にメディアから画像データを読み取り、読み取った画像データを記録媒体に書き込む処理が実行されるため、ユーザが行う操作を必要最小限に留めることができ、これにより、画像データを記録媒体に書き込む処理を簡単に実行することができる。
【００２０】
また、メディアや記録媒体が残置されている場合や装填の時間間隔が予め定めた時間を超えた場合に、そのまま処理を続行するか否かを指示するための画面や、メディアや記録媒体を取り外すように促す画面が表示されるため、誤操作を未然に防止することができ、これにより、画像データを記録媒体に書き込む処理を確実に実行することができる。
【発明の効果】
【００２１】
本発明の記録制御プログラム及び記録制御方法によれば、下記記載の効果を奏する。
【００２２】
本発明の第１の効果は、画像データを記録媒体に書き込む処理を簡単に実行することができるということである。その理由は、メディアの装填やデジタルカメラの接続、記録媒体の装填を監視し、メディアが装填又はデジタルカメラが接続され、かつ、データの書き込みが可能な記録媒体が装填されると、自動的にメディアやデジタルカメラから画像データを読み取り、読み取った画像データを記録媒体に書き込む処理が実行されるため、ユーザが行う操作を必要最小限に留めることができるからである。
【００２３】
また、本発明の第２の効果は、画像データを記録媒体に書き込む処理を確実に実行することができるということである。その理由は、メディアや記録媒体が残置されている場合や装填の時間間隔が予め定めた時間を超えた場合に、そのまま処理を実行するか否かを指示するための指示入力画面や、メディアや記録媒体を取り外すように促す警告画面が表示手段に表示されるため、誤操作を未然に防止することができるからである。
【発明を実施するための最良の形態】
【００２４】
本発明の記録制御プログラムは、その好ましい一実施の形態において、コンピュータを、メディア及び記録媒体の装填を監視する監視手段、メディア及びデータの書き込みが可能な記録媒体が装填されたら、装填されたメディアから画像データを読み取る読み取り手段、メディアや記録媒体が残置されている場合又は装填の時間間隔が予め定めた時間を超えた場合に、指示入力画面又は警告画面を表示手段に表示させる表示制御手段、装填された記録媒体に読み取った画像データ及び該画像データに基づいて生成された家電機器用データの少なくとも一方を書き込む書き込み手段、として機能させる。これにより、ユーザが行う操作を必要最小限に留め、誤操作を未然に防止して、画像データを記録媒体に書き込む処理を簡単かつ確実に実行することができる。
【実施例１】
【００２５】
上記実施形態について詳細に説明すべく、本発明の第１の実施例に係る記録制御プログラム及び記録制御方法について、図１乃至図１５を参照して説明する。図１は、本実施例に係る記録装置の構成を模式的に示す図であり、図２乃至図６は、記録装置の他の構成を示す図である。また、図７は、記録装置の手段を示すブロック図であり、図８及び図９は、記録制御の手順を示すフローチャート図である。また、図１０乃至図１２は、記録装置の表示手段に表示される画面構成例を示す図であり、図１３は、記録媒体におけるデータの記録構造を示す図である。また、図１４は、記録媒体におけるデータの記録領域を示す図であり、図１５は、記録媒体（ＣＤ−Ｒ）の構造を模式的に示す図である。
【００２６】
図１に示すように、本実施例の記録装置１は、スマートメディア、コンパクトフラッシュ（登録商標）、メモリースティック、ＳＤメモリーカード、マルチメディアカードなどのデジタルカメラ７用のスティック型の記録媒体（以下、メディア８と呼ぶ。）を装填する１又は複数のメディア装填部２と、必要に応じて、デジタルカメラ７やカメラ付き携帯電話機等の撮影機器（以下、デジタルカメラ７として説明する。）を有線又は無線、赤外線等によって接続するための１又は複数の機器接続部３と、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する１又は複数の記録媒体装填部４と、ＬＣＤ、ＣＲＴ等の表示手段５と、ボタン、キーボード、マウス等の操作手段６などを備えている。
【００２７】
また、図７に示すように、本実施例の記録装置１は上記手段に加えて、１又は複数のメディア装填部２のいずれかにメディア８が装填されたか、１又は複数の機器接続部３のいずれかにデジタルカメラ７が接続されたか、また、１又は複数の記録媒体装填部４のいずれかに記録媒体９が装填されたかを監視する監視手段１０と、装填されたメディア８や接続されたデジタルカメラ７から画像データ（静止画像データ、動画データ、画像情報を含むデータを総称して画像データと呼ぶ。）を読み取る読み取り手段１１と、指示入力画面や警告画面などを表示手段５に表示させる表示制御手段１２と、画像データに基づいて、ＤＶＤプレーヤやＤＶＤレコーダ、ＨＤＤレコーダなどの家電機器でスライドショーを再生するための家電機器用データを生成したり、画像データのファイル名を変換するなどの処理を行うデータ生成手段１３と、装填された記録媒体９に画像データや家電機器用データなどを書き込む書き込み手段１４と、記録媒体９に書き込んだ画像データや該画像データを管理するための情報が記述された管理データなどを記憶する記憶手段１５などを備えている。
【００２８】
なお、図１では記録装置１としてパーソナルコンピュータなどのコンピュータ機器を示しているが、記録装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターとしたり、図５に示すように演算処理機能を備えたＤＶＤレコーダ、ＨＤＤレコーダなどとしたり、図６に示すようにハードディスクを備えた端末と画像データの読み取りや書き込みを行う本体とが分離可能な携帯機器としたり、演算処理機能を備えたカーナビゲーション機器などとすることもできる。また、上記各手段はハードウェアとして構成されていてもよいし、コンピュータを、少なくとも監視手段１０、読み取り手段１１、書き込み手段１４、必要に応じて表示制御手段１２として機能させる記録制御プログラムとして構成し、該記録制御プログラムを記録装置１にインストールして実行する構成としてもよい。
【００２９】
上記構成の記録装置１（記録制御プログラム）を用いた記録制御の手順について、図８及び図９のフローチャート図を参照して説明する。なお、以下の説明ではメディア８から画像データを読み取る構成とするが、デジタルカメラ７から画像データを読み取る場合も同様に適用することができる。また、以下では、記録装置１に１つのメディア装填部２及び１つの記録媒体装填部４を備える場合について説明するが、メディア装填部２又は記録媒体装填部４の少なくとも一方が複数の場合も同様に適用することができる。
【００３０】
まず、ステップＳ１０１で、記録装置１（記録制御プログラム）を起動する。ここで、従来の記録装置では、表示手段５にメニュー画面などを表示し、ユーザはメニュー画面で作業を選択したり、読み取り先を指定するなどの操作を行っていたため、機械操作に不慣れなユーザの場合は、上記操作に手間取って処理に時間がかかったり、操作を誤ってしまうなどの問題があった。そこで、本実施例では、簡単かつ確実に処理を実行できるようにするために、メニュー画面などを表示手段５に表示させることなく、後述する手順に従って自動的に処理を実行する。
【００３１】
具体的には、ステップＳ１０２で、監視手段１０は、記録媒体装填部４（複数の場合はいずれかの記録媒体装填部４）に記録媒体９が装填されたかを監視し、記録媒体装填部４に記録媒体９が装填されたら、ステップＳ１０３で、装填された記録媒体９がデータの書き込みが可能な記録媒体９（以下、ブランクの記録媒体９とする）であるかを判定する。
【００３２】
なお、上記記録媒体９はデータの書き込みが可能なものであればよいが、特定の記録媒体９に対してのみ処理が続行されるようにしてもよく、その場合は、記録媒体９の所定の領域に記録媒体９を識別するための識別情報が記録されているかを調べ、識別情報が記録されている場合に特定の記録媒体９と判断することもできる。この識別情報の内容は限定されないが、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３３】
ここで、一般的な記録媒体９（ＣＤ−Ｒ）の構造について、図１５を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３４】
そして、装填された記録媒体９がブランクの記録媒体９でない場合は、データの書き込みができないと判断して処理を終了又は新たな記録媒体９を装填させる。また、ブランクの記録媒体９であればメディア８から画像データの読み取りを行うが、その際、メディア装填部２に以前に装填したメディア８が残置されている場合があるため、ステップＳ１０４で、監視手段１０は、メディア装填部２に装填済みのメディア８があるか否かを判断し、メディア８が残置されていない場合は、ステップＳ１０７で、メディア装填部２（複数の場合はいずれかのメディア装填部２）にメディア８が装填されたかを監視し、メディア装填部２にメディア８が装填されたら、画像データの読み取りステップを実行する。
【００３５】
一方、メディア８が残置されている場合は、残置されているメディア８から画像データを読み取ってよいか否かを判断する必要があるため、ステップＳ１０５で、表示制御手段１２は、表示手段５に図１０（ａ）に示すような指示入力画面２０ａを表示させる。この指示入力画面２０ａには、メディア装填部２に残置されているメディア８を用いて処理を続行するか否かをユーザに判断させるための指示手段（ボタン等）が設けられており、ステップＳ１０６で、続行が指示された場合は画像データの読み取りステップにスキップし、中止が指示された場合は処理を終了又は新たなメディア８を装填させる。
【００３６】
また、指示入力画面２０ａに代えて、図１０（ｂ）に示すような警告画面２１ａを表示させることもできる。この警告画面２１ａには、メディア装填部２から残置されているメディア８を取り外すように促す情報が表示され、ユーザは警告画面２１ａを見てメディア装填部２に残置されているメディア８を取り外した後、ステップＳ１０７で新たなメディア８を装填して処理を続行することもできる。
【００３７】
このように、記録媒体装填部４に記録媒体９が装填され、メディア装填部２にメディア８が装填されると、装填されたメディア８から画像データの読み取りが行われるため、ユーザの操作を簡略化することができ、また、メディア装填部２に残置されているメディア８がある場合に、指示入力画面２０ａや警告画面２１ａが表示されるため、誤操作を未然に防止することができる。
【００３８】
なお、上記フローにおいて、記録媒体装填部４に記録媒体９が装填され、かつ、メディア装填部２にメディア８が装填されたら処理を続行するようにしてもよいが、記録媒体装填部４に記録媒体９が装填されてからメディア装填部２にメディア８が装填されるまでの時間をカウントし、装填の時間間隔が予め定めた時間（例えば、３分）を超えた場合に、処理を終了したり、表示制御手段１２を用いて表示手段５に図１１に示すような指示入力画面２０ｃを表示させて、ユーザの指示に従って処理を続行するか否かを判断する構成とすることができる。
【００３９】
次に、ステップＳ１０８で、読み取り手段１１は、メディア８に記録された画像データを読み取り、必要に応じて、画像データの選択やスライドショーの設定などを行う。この画像データの選択やスライドショーの設定は自動で行ってもよいし、手動で行ってもよい。また、自動で行う場合に、メディア８に記録された全ての画像データを読み取ってもよいし、記録媒体９に書き込まれていない画像データのみを読み取ってもよい。
【００４０】
例えば、画像データの選択やスライドショーの設定などを自動で行う場合は、図９に示すような手順になる。具体的には、ステップＳ１０８ａで、読み取り手段１１は、メディア８から個々の画像データを読み取り、ステップＳ１０８ｂで、読み取った個々の画像データと予め記憶手段１５に記憶された画像データとを比較したり、予め記憶手段１５に記憶された管理データなどの記述を参照して、該画像データが既に記録媒体９に記録されたものであるかを判断し、画像データが記録済みであれば、ステップＳ１０８ｃで該画像データを書き込みの対象外とする。そして、ステップＳ１０８ｄで、読み取った画像データの総数と予め定めた数量（例えば、記録媒体９に記録可能な画像データの数量）とを比較し、予め定めた数量より少なければ上記処理を繰り返す。また、予め定めた数量以上となれば、ステップＳ１０９ａで、画像データから日付情報などを抽出してアルバムタイトルを自動的に設定し、ステップＳ１０９ｂでスライドショーのＢＧＭを自動的に選択する。
【００４１】
また、画像データの選択やスライドショーの設定などを手動で行う場合は、表示制御手段１２は、表示手段５に例えば図１２に示すような画像選択画面２２を表示させる。この画像選択画面２２には、画像データの読み取り先を示すタグ表示欄２３と、読み取った画像データに基づく画像を一覧表示する一覧表示欄２４と、その中から選択した画像を表示する選択画像表示欄２５と、作業手順を表示する作業手順表示欄２６などが設けられており、一覧表示欄２４で画像データを選択した後、画像の順番を変えたり、画像を回転させたり、アルバムタイトルを入力したり、各々の画像にコメントを入力したり、ＢＧＭを選択するなどの各種処理をユーザが行う。
【００４２】
次に、必要に応じて、ステップＳ１１０で、データ生成手段１３は、読み取った画像データにスライド表示の時間分の差分０のデータを付加したり、スライド効果に基づく差分データを付加するなどして動画データを生成（エンコード）し、次に、生成した動画データ及び読み取った動画データを、ＤＶＤプレーヤやＤＶＤレコーダ、ＨＤＤレコーダ、ゲーム機などの家電機器で再生可能なＶｉｄｅｏ−ＣＤ形式やＤＶＤ−Ｖｉｄｅｏ形式、ＨＤＴＶ形式に変換（オーサリング）して家電機器用データを生成する。また、必要に応じて、画像データのファイル名を予め定められたルールに従ってリネームしたり、読み取った画像データのデータサイズを縮小したサムネイル画像データやスクリーンネイル画像データなどの縮小画像データを作成する。
【００４３】
次に、ステップＳ１１１で、書き込み手段１４を用いて記録媒体装填部４に装填された記録媒体９に各種データを記録するが、その際、家電機器ではデータを読み込むことができる記録領域が限定されるため、家電機器用データを記録する場合は、家電機器用データを記録媒体９の論理アドレス領域の内周側に書き込み、必要に応じてセッションをクローズした後、画像データなどのコンピュータ機器用データを記録媒体９の先に記録した家電機器用データの外側に書き込む。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００４４】
上記手順で作成された記録媒体９には、図１４に示すように各種情報が記録され、ディスク型記録媒体９の最も内側の論理アドレス領域外には識別情報が記録されており、その外側に位置する論理アドレス領域の内周側には必要に応じて家電機器用データが記録され、更にその外側の領域にはコンピュータ機器データが記録される。
【００４５】
また、上記手順で作成された記録媒体９のディレクトリ構造は、例えば、図１３に示すようになり、読み取った画像データや、必要に応じて、縮小画像データ、スライドショー再生プログラム、スライドショーの設定ファイル、記録媒体９を管理するための情報などが記述された管理データなどでコンピュータ機器用データが構成され、Ｖｉｄｅｏ−ＣＤ形式のデータを生成した場合は図１３（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”CDI”フォルダ内のＴＶ画面に静止画像データを表示するためのアプリケーションなどで家電機器用データが構成され、ＤＶＤ−Ｖｉｄｅｏ形式のデータを生成した場合は図１３（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００４６】
なお、画像データのディレクトリ構造は任意であるが、画像データをコンピュータ機器などにバックアップした場合における管理を容易にするために、例えば、図１３に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像データをCCYYMMDDxxxxxx（CC：画像データの種別、YYMMDD：書き込み年月日を特定する数字、xxxxxx：シーケンシャル番号）などにリネームすることもできる。
【００４７】
次に、一旦記録媒体９に書き込まれた画像データが再度、記録媒体９に書き込まれることがないように、ステップＳ１１２で、必要に応じて、記録媒体９に記録した画像データや該画像データを管理するための情報が記述された管理データなどを記憶手段１５に記憶する。
【００４８】
そして、ステップ１１３で、必要に応じて、メディア装填部２に装填されたメディア８から画像データを消去して一連の処理を終了する。
【００４９】
このように、本実施例では、記録媒体装填部４に記録媒体９が装填され、かつ、メディア装填部２にメディア８が装填されたら自動的にメディア８から画像データを読み取り、画像データや該画像データに基づいて生成された家電機器用データを記録媒体９に書き込む処理が行われるため、ユーザは複雑な操作をすることなく、画像データを記録媒体９に書き込む処理を簡単に実行することができる。
【００５０】
また、本実施例では、残置されているメディア８がある場合に、そのまま処理を続行するか否かの指示を入力する指示入力画面２０ａや、残置されたメディア８を取り外すように促す警告画面２１ａが表示され、また、記録媒体９とメディア８の装填の時間間隔が予め定めた時間を超えた場合に、処理を終了したり、処理を続行するか否かの指示を入力する指示入力画面２０ｃが表示されるため、機械操作に不慣れなユーザであっても、操作に手間取ったり間違った操作を行うことなく、画像データを記録媒体９に書き込む処理を確実に実行することができる。
【実施例２】
【００５１】
次に、本発明の第２の実施例に係る記録制御プログラム及び記録制御方法について、図１６及び図１７を参照して説明する。図１６は、本実施例に係る記録制御の手順を示すフローチャート図であり、図１７は、記録装置の表示手段に表示される画面構成例を示す図である。
【００５２】
なお、前記した第１の実施例では、先に記録媒体装填部４に記録媒体９を装填し、後でメディア装填部２にメディア８を装填する構成としたが、本実施例では、この順序を逆にして、先にメディア装填部２にメディア８を装填し、後で記録媒体装填部４に記録媒体９を装填することを特徴とする。以下、本実施例の記録制御の手順について、図１６のフローチャート図を参照して説明する。なお、本実施例においても、メディア８から画像データを読み取る構成とするが、デジタルカメラ７から画像データを読み取る場合も同様に適用することができる。また、以下では、記録装置１に１つのメディア装填部２及び１つの記録媒体装填部４を備える場合について説明するが、メディア装填部２又は記録媒体装填部４の少なくとも一方が複数の場合も同様に適用することができる。
【００５３】
まず、ステップＳ２０１で、記録装置１（記録制御プログラム）を起動した後、ステップＳ２０２で、監視手段１０は、メディア装填部２（複数の場合はいずれかのメディア装填部２）にメディア８が装填されたかを監視する。
【００５４】
次に、メディア装填部２にメディア８が装填されたら、記録媒体９の装填を監視するが、その際、記録媒体装填部４に以前に装填した記録媒体９が残置されている場合があるため、ステップＳ２０３で、監視手段１０は、記録媒体装填部４に装填済みの記録媒体９があるか否かを判断する。そして、記録媒体９が残置されていない場合は、ステップＳ２０６で、監視手段１０は、記録媒体装填部４（複数の場合はいずれかの記録媒体装填部４）に記録媒体９が装填されたかを監視し、記録媒体装填部４に記録媒体９が装填されたら、ステップＳ２０７で、装填された記録媒体９がブランクの記録媒体９であるかを判定し、ブランクの記録媒体９でなければ処理を終了又は新たな記録媒体９を装填させ、ブランクの記録媒体９であれば、画像データの読み取りステップを実行する。
【００５５】
一方、記録媒体９が残置されている場合は、ステップＳ２０４で、表示制御手段１２は、表示手段５に図１７（ａ）に示すような指示入力画面２０ｂを表示させて、記録媒体装填部４に残置されている記録媒体９を用いて処理を続行するか否かをユーザに判断させ、ステップＳ２０５で、続行が指示された場合は、ステップＳ２０７で、残置されている記録媒体９がブランクの記録媒体９であるかを判定し、ブランクの記録媒体９であれば、画像データの読み取りステップを実行し、中止が指示された場合は処理を終了又は新たな記録媒体９を装填させる。又は、指示入力画面２０ｂに代えて、図１７（ｂ）に示すような警告画面２１ｂを表示させてもよく、ユーザは警告画面２１ｂを見て記録媒体装填部４に残置されている記録媒体９を取り外した後、ステップＳ２０６で新たな記録媒体９を装填して処理を続行することもできる。
【００５６】
このように、メディア装填部２にメディア８が装填され、記録媒体装填部４に記録媒体９が装填されたら、装填されたメディア８から画像データの読み取りが行われるため、ユーザの操作を簡略化することができ、また、記録媒体装填部４に残置されている記録媒体９がある場合に、指示入力画面２０ｂや警告画面２１ｂが表示されるため、誤操作を未然に防止することができる。
【００５７】
なお、上記フローにおいて、メディア装填部２にメディア８が装填され、かつ、記録媒体装填部４に記録媒体９が装填されたら処理を続行するようにしてもよいが、メディア装填部２にメディア８が装填されてから記録媒体装填部４に記録媒体９が装填されるまでの時間をカウントし、装填の時間間隔が予め定めた時間を超えた場合に、処理を終了したり、表示制御手段１２を用いて表示手段５に図１１に示すような指示入力画面２０ｃを表示させて、ユーザの指示に従って処理を続行するか否かを判断する構成とすることができる。
【００５８】
その後、第１の実施例と同様に、ステップＳ２０８で、読み取り手段１１は、メディア８に記録された画像データを読み取り、必要に応じて、ステップＳ２０９で、画像データの選択やスライドショーの設定などを自動又は手動で行い、ステップＳ２１０で、データ生成手段１３を用いて読み取った画像データに基づいて家電機器用データを生成したり、画像データのファイル名を予め定められたルールに従ってリネームしたり、読み取った画像データのデータサイズを縮小したサムネイル画像データやスクリーンネイル画像データなどの縮小画像データを作成する。
【００５９】
次に、ステップＳ２１１で、家電機器用データを記録媒体９の論理アドレス領域の内周側に書き込み、必要に応じてセッションをクローズした後、画像データなどのコンピュータ機器用データを記録媒体９の先に記録した家電機器用データの外側に書き込み、ステップＳ２１２で、必要に応じて、記録媒体９に記録した画像データや該画像データを管理するための情報が記述された管理データなどを記憶手段１５に記憶する。そして、ステップ２１３で、必要に応じて、メディア装填部２に装填されたメディア８から画像データを消去して一連の処理を終了する。
【００６０】
このように、本実施例では、メディア装填部２にメディア８が装填され、かつ、記録媒体装填部４に記録媒体９が装填されたら自動的にメディア８から画像データを読み取り、画像データや該画像データに基づいて生成された家電機器用データを記録媒体９に書き込む処理が行われるため、ユーザは複雑な操作をすることなく、画像データを記録媒体９に書き込む処理を簡単に実行することができる。
【００６１】
また、本実施例では、残置されている記録媒体９がある場合に、そのまま処理を続行するか否かの指示を入力する指示入力画面２０ｂや、記録媒体９を取り外すように促す警告画面２１ｂが表示され、また、メディア８と記録媒体９の装填の時間間隔が予め定めた時間を超えた場合に、処理を終了したり、処理を続行するか否かの指示を入力する指示入力画面２０ｃが表示されるため、機械操作に不慣れなユーザであっても、操作に手間取ったり間違った操作を行うことなく、画像データを記録媒体９に書き込む処理を確実に実行することができる。
【００６２】
なお、第１の実施例では、残置されたメディア８がある場合に指示入力画面２０ａや警告画面２１ａを表示し、第２の実施例では、残置された記録媒体９がある場合に指示入力画面２０ｂや警告画面２１ｂを表示したが、上記表示に加えて、又は上記表示に代えて、第１の実施例において残置された記録媒体９がある場合に指示入力画面２０ｂや警告画面２１ｂを表示したり、第２の実施例において残置されたメディア８がある場合に指示入力画面２０ａや警告画面２１ａを表示してもよい。
【００６３】
また、上記各実施例では、画像データに関する注文の処理に関して記載したが、本発明は上記実施例に限定されるものではなく、例えば、音楽データを記録媒体９に書き込む場合などについても同様に適用することができる。
【図面の簡単な説明】
【００６４】
【図１】本発明の第１の実施例に係る記録装置の構成を模式的に示す図である。
【図２】本発明の第１の実施例に係る記録装置の他の構成を示す図である。
【図３】本発明の第１の実施例に係る記録装置の他の構成を示す図である。
【図４】本発明の第１の実施例に係る記録装置の他の構成を示す図である。
【図５】本発明の第１の実施例に係る記録装置の他の構成を示す図である。
【図６】本発明の第１の実施例に係る記録装置の他の構成を示す図である。
【図７】本発明の第１の実施例に係る記録装置の他の構成を示す図である。
【図８】本発明の第１の実施例に係る記録装置の手段を示すブロック図である。
【図９】本発明の第１の実施例に係る記録装置を用いた記録制御の手順を示すフローチャート図である。
【図１０】本発明の第１の実施例に係る記録装置の表示手段に表示される画面構成例（指示入力画面及び警告画面）を示す図である。
【図１１】本発明の第１の実施例に係る記録装置の表示手段に表示される画面構成例（指示入力画面及び警告画面）を示す図である。
【図１２】本発明の第１の実施例に係る記録装置の表示手段に表示される画面構成例（画像選択画面）を示す図である。
【図１３】本発明の第１の実施例に係る記録媒体におけるデータの記録構造を示す図である。
【図１４】本発明の第１の実施例に係る記録媒体におけるデータの記録領域を模式的に示す図である。
【図１５】記録媒体（ＣＤ−Ｒ）の構造を模式的に示す図である。
【図１６】本発明の第２の実施例に係る記録装置を用いた記録制御の手順を示すフローチャート図である。
【図１７】本発明の第２の実施例に係る記録装置の表示手段に表示される画面構成例（指示入力画面及び警告画面）を示す図である。
【符号の説明】
【００６５】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  監視手段
１１  読み取り手段
１２  表示制御手段
１３  データ生成手段
１４  書き込み手段
１５  記憶手段
２０ａ、２０ｂ、２０ｃ  指示入力画面
２１ａ、２１ｂ  警告画面
２２  画像選択画面
２３  タグ表示欄
２４  一覧表示欄
２５  選択画像表示欄
２６  作業手順表示欄
１００  ポリカーボネート基板
１０１  有機色素層
１０２  反射層
１０３  保護層
【図１】
2007133993.tif 000003
【図２】
2007133993.tif 000004
【図３】
2007133993.tif 000005
【図４】
2007133993.tif 000006
【図５】
2007133993.tif 000007
【図６】
2007133993.tif 000008
【図７】
2007133993.tif 000009
【図８】
2007133993.tif 000010
【図９】
2007133993.tif 000011
【図１０】
2007133993.tif 000012
【図１１】
2007133993.tif 000013
【図１２】
2007133993.tif 000014
【図１３】
2007133993.tif 000015
【図１４】
2007133993.tif 000016
【図１５】
2007133993.tif 000017
【図１６】
2007133993.tif 000018
【図１７】
2007133993.tif 000019